(57)【要約】      （修正有）【課題】ユーザが本物の銃のような迫真性及び臨場感を感じ、本物の銃に劣らない操作性を有するため興味関心の高い構造の玩具銃を提供する。【解決手段】玩具銃の構造は、銃身部を備える。銃身部の底部には、グリップ２１及び引金ユニット２２が設けられ、上方の保護カバー内には、装填部４１、摩擦片４２、変位ベース４３、スライドブロック４４、軸棒４５、圧縮コイルばね４６、引張コイルばね４７、スライド４８、装填ピストン４９により構成された装填ユニット４０が設けられる。保護カバーには、排莢口が設けられる。排莢口には、防塵蓋が枢着される。引金ユニット２２は、引金により制御されるギヤセットを有する。防塵蓋は、内面に凸部が設けられて排莢口に係合され、防塵蓋を押圧すると回動しながら開く。【選択図】図３
0003182451.tif 000002
【実用新案登録請求の範囲】
【請求項１】
銃身部を備えた玩具銃であって、
前記銃身部の底部には、グリップ及び引金ユニットが設けられ、上方の保護カバー内には、装填部、摩擦片、変位ベース、スライドブロック、軸棒、圧縮コイルばね、引張コイルばね、スライド、装填ピストンにより構成された装填ユニットが設けられ、前記保護カバーには、排莢口が設けられ、前記排莢口には、防塵蓋が枢着され、
前記引金ユニットは、引金により制御されるギヤセットを有し、
前記防塵蓋は、内面に凸部が設けられて前記排莢口に係合され、前記防塵蓋を押圧すると回動しながら開き、
前記装填部上には凸状軌道が形成され、前記凸状軌道の頂面の前部及び後部には、軸座が突設され、２つの前記軸座間には後方軌道溝が形成され、
前記摩擦片は、円弧状プレートの接触部を有し、前記接触部の後部には、内方へ連続的に折り曲げられた掛片が設けられ、
前記変位ベースは、中央部に透過部が設けられ、一側に挿入口と凸設されたレバーとが形成され、他側に上方へ延びた立て板が設けられ、前記立て板の前部が略突出され、
前記スライドブロックは、中央部に段差状の軸孔が設けられ、底面の前後部に内側に凹んだフック部と、突出したガイドピンとを有し、
前記軸棒は、細長桿状を呈し、後部外周にストッパ縁が拡大形成され、
前記スライドは、下向きコ字状の断面を有し、ロッドの後部にスライドヘッドが設けられ、前記ロッドは、前方の一側に切設された逃げ切欠部を有し、他側の前方端が内方に曲げられて形成された短い係止縁を有し、
前記装填ピストンは、前記装填部内に摺設され、前記引金ユニットの前記ギヤセットと噛合された状態に維持されたラックギヤが外周下部に設けられ、前記ラックギヤが前記ギヤセットにより制御され、前記引金を引くと前記ギヤセットの回転により前記装填ピストンが後方へ下がり、前記装填ピストンの上部後方に長形切欠部が設けられ、
前記摩擦片が前記接触部により前記装填部の一側表面上へ圧着されるとともに、前記掛片を前記凸状軌道の頂面へ掛け渡し、前記スライドブロックの前記ガイドピンが前記装填部の前記後方軌道溝へ挿入されると、前記ガイドピンと前記装填ピストンの前記長形切欠部とが対応した状態に維持され、前記掛片が前記スライドブロックの前記フック部に掛止され、前記変位ベースは、前記スライドブロック前に設置され、前記圧縮コイルばねの前記軸棒に嵌合され、後方から前方へかけて連続的に前記軸孔、前記透過部へ順次貫通され、前記装填部の２つの軸座上へ貫通させて固定し、前記圧縮コイルばねが前記軸棒の前記ストッパ縁と前記スライドブロックの前記軸孔との間を支え、前記スライドブロックが常態下で継続的に前方へ押され、前記引張コイルばねは、一端が前記変位ベースの前記挿入口へ掛止され、他端が前記軸座の前方へ延びて前記軸棒と嵌合し、前記スライドの前記逃げ切欠部を介して前記レバーが延びて斜め方向で回転し、前記凸状軌道の外方を覆うとともに、前記係止縁と前記変位ベースの前記立て板とが対応するように構成したことを特徴とする玩具銃。
【請求項２】
後方から前方へかけて順次配置された銃床、前記銃身部及びバレルを含むことを特徴とする請求項１に記載の玩具銃。
【請求項３】
前記銃身部の底部には、弾倉が取り付けられることを特徴とする請求項１に記載の玩具銃。
【考案の詳細な説明】
【技術分野】
【０００１】
本考案は、玩具銃に関するものであり、さらに詳しくは、迫真性を有する玩具銃の構造に関するものである。
【背景技術】
【０００２】
現代人の生活はペースが速い上、同僚、仲間、競合他社間の競争も激しくストレスを感じやすい。適宜ストレスを解消しない場合、心と身体に悪い影響を与えることがある。玩具銃の射撃は、単独で練習したりグループで競い合ったりすることができるため、ストレス解消に優れている。
【０００３】
従来の玩具銃のほとんどは弾丸を装填するものがほとんどであり、弾丸を発射する機能を有していたが、その迫真性及び臨場感はそれほど追及されていないため、プレーヤーは、射撃を行う際、本物の銃のような臨場感を感じることができず、玩具銃の遊びに飽きやすかった。
【０００４】
実用新案登録第３１０１０２０号公報（以下、「特許文献１」という。）には、銃身と前部握把に固定手段が組み付けられ、前部握把と銃身が強固に固定され、前部握把のぐらつきが防止され、照門と該固定手段の間にハンドルが組み付けられ、該ハンドルが前部握把と平行とされ、ハンドルに照準眼鋭を組み付けることができる玩具銃が記載されている。
【０００５】
また、特開２０１２−７７９６００号公報（以下、「特許文献２」という。）には、圧縮ガスが封入されたガスカートリッジを装着でき、圧縮ガスの噴射圧を利用して弾丸を発射させる玩具銃が記載されている。しかし、特許文献１及び２にも操作の際に急激に強い振動を発生するなど真実感を高めるには改良すべき点が残されていた。
【特許文献１】実用新案登録第３１０１０２０号公報
【特許文献２】特開２０１２−７７９６００号公報
【考案の概要】
【考案が解決しようとする課題】
【０００６】
本考案の課題は、スライドが空転することを防ぎ、引っ張る際、防塵蓋を開く一方、スライドをリリースした際にスライドが勢い良く動いて強い振動を発生させるため、ユーザは本物の銃のような迫真性及び臨場感を感じ、本物の銃に劣らない良好な操作性を有するため興味の持続が可能な構造を有する玩具銃を提供することにある。
【課題を解決するための手段】
【０００７】
上記課題を解決するために、本考案によれば、銃身部を備えた玩具銃の構造であって、
前記銃身部の底部には、グリップ及び引金ユニットが設けられ、上方の保護カバー内には、装填部、摩擦片、変位ベース、スライドブロック、軸棒、圧縮コイルばね、引張コイルばね、スライド、装填ピストンにより構成された装填ユニットが設けられ、前記保護カバーには、排莢口が設けられ、前記排莢口には、防塵蓋が枢着され、
前記引金ユニットは、引金により制御されるギヤセットを有し、
前記防塵蓋は、内面に凸部が設けられて前記排莢口に係合され、前記防塵蓋を押圧すると回動しながら開き、
前記装填部上には凸状軌道が形成され、前記凸状軌道の頂面の前部及び後部には、軸座が突設され、２つの前記軸座間には後方軌道溝が形成され、
前記摩擦片は、円弧状プレートの接触部を有し、前記接触部の後部には、内方へ連続的に折り曲げられた掛片が設けられ、
前記変位ベースは、中央部に透過部が設けられ、一側に挿入口と凸設されたレバーとが形成され、他側に上方へ延びた立て板が設けられ、前記立て板の前部が略突出され、
前記スライドブロックは、中央部に段差状の軸孔が設けられ、底面の前後部に内側に凹んだフック部と、突出したガイドピンとを有し、
前記軸棒は、細長桿状を呈し、後部外周にストッパ縁が拡大形成され、前記スライドは、下向きコ字状の断面を有し、ロッドの後部にスライドヘッドが設けられ、前記ロッドは、前方の一側に切設された逃げ切欠部を有し、他側の前方端が内方に曲げられて形成された短い係止縁を有し、
前記装填ピストンは、前記装填部内に摺設され、前記引金ユニットの前記ギヤセットと噛合された状態に維持されたラックギヤが外周下部に設けられ、前記ラックギヤが前記ギヤセットにより制御され、  前記引金を引くと前記ギヤセットの回転により前記装填ピストンが後方へ下がり、前記装填ピストンの上部後方に長形切欠部が設けられ、
前記摩擦片が前記接触部により前記装填部の一側表面上へ圧着されるとともに、前記掛片を前記凸状軌道の頂面へ掛け渡し、前記スライドブロックの前記ガイドピンが前記装填部の前記後方軌道溝へ挿入されると、前記ガイドピンと前記装填ピストンの前記長形切欠部とが対応した状態に維持され、前記掛片が前記スライドブロックの前記フック部に掛止され、前記変位ベースは、前記スライドブロック前に設置され、前記圧縮コイルばねの前記軸棒に嵌合され、後方から前方へかけて連続的に前記軸孔、前記透過部へ順次貫通され、前記装填部の２つの軸座上へ貫通させて固定し、前記圧縮コイルばねが前記軸棒の前記ストッパ縁と前記スライドブロックの前記軸孔との間を支え、前記スライドブロックが常態下で継続的に前方へ押され、前記引張コイルばねは、一端が前記変位ベースの前記挿入口へ掛止され、他端が前記軸座の前方へ延びて前記軸棒と嵌合し、前記スライドの前記逃げ切欠部を介して前記レバーが延びて斜め方向で回転し、前記凸状軌道の外方を覆うとともに、前記係止縁と前記変位ベースの前記立て板とが対応するように構成したことを特徴とする構造を有する玩具銃が提供される。
【０００８】
後方から前方へかけて順次配置された銃床、前記銃身部及びバレルを含むことが好ましい。
【０００９】
前記銃身部の底部には、弾倉が取り付けられることが好ましい。
【考案の効果】
【００１０】
本考案は、前記の通りの構成からなり、特に、スライドを後方へ引っ張り、リリースすると、圧縮コイルばね、引っ張りコイルばね等が弾性回復力を利用して勢いよく変位ベース、スライドベースを戻し、二重の引き戻しにより振動強波を発生させ、好適な迫真性を得ることができる。また、引金を引くことにより作動する摩擦片の装填部との摩擦により、本物の銃を撃ったときの音と臨場感を得ることができる。
【図面の簡単な説明】
【００１１】
【図１】図１は、本考案の一実施形態に係る玩具銃の構造を示す斜視図である。
【図２】図２は、本考案の一実施形態に係る玩具銃の構造の銃身部を示す斜視図である。
【図３】図３は、本考案の一実施形態に係る玩具銃の構造の装填ユニットを示す分解斜視図である。
【図４】図４は、本考案の一実施形態に係る玩具銃の構造の装填ユニットを示す斜視図である。
【図５】図５は、本考案の一実施形態に係る玩具銃の構造の装填ユニットを示す断面図である。
【図６】図６は、本考案の一実施形態に係る玩具銃の構造の防塵カバーを弾いて開いたときの状態を示す断面図である。
【図７】図７は、本考案の一実施形態に係る玩具銃の構造の防塵カバーを弾いて開いた後の状態を示す斜視図である。
【図８】図８は、本考案の一実施形態に係る玩具銃の構造の圧縮コイルばねを圧縮させたときの状態と、引張コイルばねを引っ張って伸ばしたときの状態を示す模式図である。
【図９】図９は、本考案の一実施形態に係る玩具銃の構造のスライドブロックを後方へ下げたときの状態を示す部分断面図である。
【考案を実施するための形態】
【００１２】
以下、本考案の一実施形態に係る玩具銃について図面に基づいて説明する。なお、これによって本考案が限定されるものではない。
【００１３】
図１〜図５を参照する。図１〜図５に示すように、本考案の一実施形態に係る玩具銃の構造は、後方から前方へかけて順次配置された銃床１０、銃身部２０及びバレル３０を含む。銃身部２０の底部には、グリップ２１及び引金ユニット２２が設けられるとともに、弾倉２３が取り付けられ、上方の保護カバー２４内には、装填部４１、摩擦片４２、変位ベース４３、スライドブロック４４、軸棒４５、圧縮コイルばね４６、引張コイルばね４７、スライド４８、装填ピストン４９により構成された装填ユニット４０が設けられている。保護カバー２４には、排莢口２４１が開設されている。排莢口２４１には、トーションバネの弾性回復力を受ける防塵蓋２５が枢着されている。引金ユニット２２は、引金２２１により制御されるギヤセット２２２を有する。防塵蓋２５の内面には凸部２５１が設けられ、防塵蓋２５が排莢口２４１に係合されると、凸部２５１が当接され、防塵蓋２５を押圧し、回転して開く。装填部４１の上方には、凸状軌道４１１が形成される。凸状軌道４１１の頂面の前方及び後方には、軸座４１２が突設されている。２つの軸座４１２間には適宜な長さを有する後方軌道溝４１３が設けられている。摩擦片４２は、円弧状プレートの接触部４２１を有する。接触部４２１の後方には、内方へ連続的に折り曲げられた掛片４２２が設けられる。変位ベース４３は、中央部に透過部４３１が設けられ、一側に挿入口４３２及び凸設されたレバー４３３が形成され、他側に上方へ立て板４３４が設けられ、立て板４３４の前方が略突出される。スライドブロック４４は、中央部に段差状の軸孔４４１が設けられ、底面前後に内側に凹んだフック部４４２と、突出したガイドピン４４３とを有し、軸棒４５は、細長桿状を呈し、外周後方にストッパ縁４５１が拡大形成されている。スライド４８は、断面が下向きにコ字状に形成されたロッド４８１の後部にスライドヘッド４８２が設けられる。ロッド４８１は、前方の一側に切設された逃げ切欠部４８３を有し、他側の前方端が内方に曲げられて形成された短い係止縁４８４を有する。装填ピストン４９は、装填部４１内に摺設され、外周下方に引金ユニット２２のギヤセット２２２と噛合状態が維持されたラックギヤ４９１が設けられ、ラックギヤ４９１がギヤセット２２２により制御され、引金２２１を引くと回転したギヤセット２２２が駆動して装填ピストン４９が後方へ下がり、装填ピストン４９の上部後方に長形切欠部４９２が設けられる。
【００１４】
摩擦片４２が接触部４２１により装填部４１の一側表面上へ圧着されるとともに、掛片４２２を上方に向けて凸状軌道４１１の頂面へ掛け渡し、スライドブロック４４がガイドピン４４３を介して装填部４１の後方軌道溝４１３へ挿入されるとともに、ガイドピン４４３と装填ピストン４９の長形切欠部４９２とが対応した状態に維持される。掛片４２２がスライドブロック４４のフック部４４２に掛止され、変位ベース４３がスライドブロック４４の前に直接設置され、外周が圧縮コイルばね４６を押す軸棒４５に嵌合され、後方から前方へかけて連続的に軸孔４４１、透過部４３１へ順次貫通させ、装填部４１の２つの軸座４１２上へ貫通させて固定し、圧縮コイルばね４６を介して軸棒４５のストッパ縁４５１とスライドブロック４４の軸孔４４１との間が支えられ、スライドブロック４４が常態下で継続的に前方へ押される。引張コイルばね４７は、一端が変位ベース４３の挿入口４３２へ掛止され、他端が軸座４１２の前方へ延ばされて軸棒４５に嵌合され、スライド４８の逃げ切欠部４８３を介してレバー４３３が延びて斜め方向で回転し、凸状軌道４１１の外方を覆うとともに、係止縁４８４と変位ベース４３の立て板４３４とを対応させ、その組み合わせが完成する。
【００１５】
上述の構造により、実際に使用する際、スライド４８を後方へ引っ張り、係止縁４８４と立て板４３４とを接触させると、変位ベース４３がスライドブロック４４とともに同期で変位し、変位ベース４３が後方へ駆動すると、レバー４３３が凸部２５１を押圧し、防塵蓋２５が外方に開かれ、これにより銃に弾を装填する動作を行い（図６及び図７参照）、スライドブロック４４の変位により摩擦片４２を駆動すると、接触部４２１が装填部４１の表面と摩擦し、圧縮コイルばね４６及び引張コイルばね４７の弾性回復力を克服し（図８を同時に参照）、大きめの力を加えなければスライド４８をスムーズに引っ張ることができなかったり空転が発生したりして迫真性に欠けることを防ぐ。スライド４８が引っ張られてからリリースされると、その圧縮された圧縮コイルばね４６と外側に張り出された引張コイルばね４７とはそれ自身が有する弾力回復力を利用し、速やかかつ勢いよく変位ベース４３とスライドブロック４４とを戻し、２重の引き戻しにより好適な迫真性及び振動強度を発生させ、本物の銃の操作に負けないくらいの迫真性をユーザは感じることができる。
【００１６】
引金２２１を引くと、ギヤセット２２２が装填ピストン４９を後方へ下げ、長形切欠部４９２をスライドブロック４４のガイドピン４４３へ掛止（図９を同時に参照）し、スライドブロック４４及び摩擦片４２を同時に後方へ駆動して水平移動すると、摩擦片４２の接触部４２１が装填部４１の表面に同様に摩擦され、本物の銃を撃ったときに金属が当たったような音と臨場感を得て、ユーザが引金２２１をリリースすると、スライドブロック４４が圧縮コイルばね４６により押し戻されて、装填ピストン４９が同期で押されて復位して次回の射撃に備える。ユーザが三連発又は全自動の射撃を行うときは、装填ピストン４９、スライドブロック４４及び摩擦片４２が連続的に往復する。
【００１７】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１０  銃床
２０  銃身部
２１  グリップ
２２  引金ユニット
２３  弾倉
２４  保護カバー
２５  防塵蓋
３０  バレル
４０  装填ユニット
４１  装填部
４２  摩擦片
４３  変位ベース
４４  スライドブロック
４５  軸棒
４６  圧縮コイルばね
４７  引張コイルばね
４８  スライド
４９  装填ピストン
２２１  引金
２２２  ギヤセット
２４１  排莢口
２５１  凸部
４１１  凸状軌道
４１２  軸座
４１３  後方軌道溝
４２１  接触部
４２２  掛片
４３１  透過部
４３２  挿入口
４３３  レバー
４３４  立て板
４４１  軸孔
４４２  フック部
４４３  ガイドピン
４５１  ストッパ縁
４８１  ロッド
４８２  スライドヘッド
４８３  逃げ切欠部
４８４  係止縁
４９１  ラックギヤ
４９２  長形切欠部
【図１】
0003182451.tif 000003
【図２】
0003182451.tif 000004
【図３】
0003182451.tif 000005
【図４】
0003182451.tif 000006
【図５】
0003182451.tif 000007
【図６】
0003182451.tif 000008
【図７】
0003182451.tif 000009
【図８】
0003182451.tif 000010
【図９】
0003182451.tif 000011